(57)【要約】【課題】本発明は複数の経糸と緯糸で交互に織り成して視覚的色彩変化をする織物を提供する。経糸と緯糸には少なくとも１本の浮糸と、各浮糸の２面の対向する外側にあって異なる色をした２本の色糸を織り、浮糸は織物の表面に顕れた複数の浮出糸部分を有し、２本の色糸は織物の表面に顕れた複数の色糸部分を有し、このように構成することで、織物表面を異なる視線角度から眺めたり、織物自体に角度変化が生じたりすると、浮出糸部分でもって両側に織った色糸部分に対して視覚を妨げる変化が起きると、織物の表面に色彩変化の効果が生じるのが見られる。
2010504440.tif 000002
【特許請求の範囲】
【請求項１】
複数の経糸と緯糸で交互に織り成して視覚的色彩変化をする織物であって、
前記経糸と緯糸の何れか一方には、
織物の表面に顕れた複数の浮出糸部分を有する少なくとも１本の浮糸と、
それぞれ前記浮糸の２面の対向する外側にあって且つ異なる色をした２本の色糸であって、２本の色糸には織物の表面に顕れた複数の色糸部分を有し、織物表面の異なる視線角度から眺めたとき、浮出糸部分が両側に織った色糸部分に対して視覚を妨げる変化が生じることによって、色彩変化をする視覚的感覚を現すものと、
からなることを特徴とする視覚的色彩変化をする織物。
【請求項２】
浮糸は不透明な糸であることを特徴とする請求項１に記載する視覚的色彩変化をする織物。
【請求項３】
浮糸は透光性のある透明糸であることを特徴とする請求項１に記載する視覚的色彩変化をする織物。
【請求項４】
浮糸と２本の色糸はカラー、太さ、成分、より数及び弾性係数が同様の糸であることを特徴とする請求項１に記載する視覚的色彩変化をする織物。
【請求項５】
浮糸と２本の色糸はカラー、太さ、成分、より数及び弾性係数の何れか１つが異なる糸であることを特徴とする請求項１に記載する視覚的色彩変化をする織物。
【発明の詳細な説明】
【技術分野】
【０００１】
本発明は織物に関し、特に織物表面を異なる視線角度で眺めたり、織物自体に角度変化が起きたりしたとき、色彩変化という視覚効果を持つ織物に関する。
【背景技術】
【０００２】
織物の価値感や美観を高めるために以前から、経糸・緯糸の各種変化や紋様デザインを利用して、織物に無地表面の綾織ストライプ、格子、図案等の各種変化をつけたりしているほかに、また色彩を組合わせてユニークなデザインスタイルを展開したりもしている。
【０００３】
また、織物に色彩変化をつけた視覚効果を持たせるために、さらに感温変色原料、紫外線変色原料を使用して織物に付着させる方法があり、織物の表面に温度変化や紫外線指数（強度）の変化に伴って色彩変化の効果を現している。
【発明の概要】
【発明が解決しようとする課題】
【０００４】
ただ、こうした環境条件の変化に伴い色彩変化を起こす変色原料は電子素材であり、材料が高くつく以外に、変色原料を織物に付着させる製作コストも増加する。さらに変色原料を付着させた織物は同時に環境保護の負担がかかることにもなる。
【０００５】
こうしたことに鑑みて、本発明は環境保護に負担のかからない織物を提供すると同時に、織物の表面に斬新で活き活きとしてセンスのあるダイナミックな変色効果を現すことができるようにもする。織物を身に着ける服装の付属品として製作した場合、視線の角度が変化したり、織物自体に角度の変化が起きたりすると、織物の表面に変色効果が見られる。
【課題を解決するための手段】
【０００６】
本発明は色糸と紋様デザイン（織物組織の構造）を結び付けた織物であり、「浮糸」を有するカラー織物を織り、浮糸の２面の対向する外側はそれぞれ異なるカラーの２本の色糸とし、こうして織物の表面を異なる視線角度から眺めたり、織物自体に角度変化が起きたりすると、織物の表面に浮糸が視線を妨げる効果を構成することによって、色彩が変化する視覚的感覚を生じる。
【０００７】
例示すると、仮に浮糸の２面の対向する外側をそれぞれ赤糸と緑糸で織り、正視角度から織物の表面を眺めると、浮糸の両側の色糸が同時に目に入るが、視線が織物の表面に対して傾斜角度をなすと、浮糸は視線から離れた外側の色糸に対し遮蔽作用を生じて、浮糸によって局部的に或いは完全に遮蔽された色糸は視認できなくなる。
【発明の効果】
【０００８】
前述した浮糸は主に不透明な糸を採用することにより、浮糸が色糸を遮蔽する障壁となることができる。然しながら、実施の際には浮糸は透光性のある透明糸に置き換えてもよい。透明糸は色糸に対し遮蔽効果は生じ得ないが、視線方向が織物の表面に対して傾斜角度をなすときは、目には織物の表面に浮糸の２面の対向する外側にある２本の色糸が同時に視認できる。しかし、浮かした透明糸に遮られている離れた外側の色糸は透明糸が屈折して、透明糸が屈折しない他側の色糸と比べて、織物の表面から見える２種類の色糸には視覚的な割合に差異が生じる。
【０００９】
下記の実施形態において、実施例と併せて本発明の特徴と長所をさらに述べるが、その内容は当業者が本発明の技術内容を充分に理解してそれに基づいて実施できるものである。
【図面の簡単な説明】
【００１０】
【図１】本発明の織物構造を応用した衣服である。
【図２】本発明の織物構造の正面図である。
【図３】図２のＡ-Ａ位置で見た断面図である。
【図４】図２のＢ-Ｂ位置で見た断面図である。
【図５Ａ】本発明の織物構造を異なる視角から眺めたときの斜視形態である。
【図５Ｂ】本発明の織物構造を異なる視角から眺めたときの斜視形態である。
【図６】本発明の織物構造の浮糸と２本の色糸の側面概略図である。
【図７】本発明の織物構造で透光性のある透明糸を採用した実施例図である。
【発明を実施するための形態】
【００１１】
〔実施例〕
図1では本発明の織物である衣服２０を開示している。図に示すように、衣服２０の全部又は局部に複数の縦糸と複数の横糸とを交互に織り成して、紋様の特殊デザインである特定糸の異なる張力を利用して、特定糸を織物の表面に浮かせた形を現し、前記浮かせた糸の対抗する２面の外側にそれぞれ異なるカラーの色糸を織る。もっと具体的に述べると、本発明の織物１０は縦糸と横糸の何れか一方に浮糸１２と、それぞれ浮糸１２の２面の対向する外側にある２本の色糸１４、１６を有する。
【００１２】
図２では、前述の浮糸１２は織物の表面に現れた複数の浮出糸部分１２２を有し、浮糸１２は張力、並びに対向する縦横方向が交錯した糸の張力を利用して織り、異なる程度での浮出糸部分１２２が生じることで、必要な浮出し程合いにおける最良の効果を達成することができる。
【００１３】
また、それぞれ浮き糸１２の２面の対向する外側にある２本の色糸１４、１６は共に異なる色をしており、この２本の色糸１４、１６は織物の表面に現れた複数の色糸部分１４２、１６２を有する。図示した引例に合せて述べると、浮糸１２は白色の不透光糸を採用し、白色の糸の左側の色糸１４を赤糸にして、白色の浮糸１２の右側の色糸１６を緑糸にすると、織物の表面に現れる糸は少なくとも白、赤、緑の３種類の異なる色の色糸である。即ち、視線が正面の垂直角度から織物の表面を見ると、織物の表面が平坦な状態のままで、目は織物の表面に３種類の異なる色の色糸部分を視認できる。しかし、観察者の視線角度を自発的に変えたり、織物自体に角度変化が起きたりしたとき、視覚的に織物の表面に色彩変化の効果が視認できる。
【００１４】
織物１０の織物組織が浮糸１２と色糸１４、１６で組合されて生じた色の変化エリア範囲に紋様デザインによって織物の表面にのみ局部面積の変色エリアを形成することができる。例えば、不規則なエリアや幾何図形法則のエリアのようなデザイン変化の応用と同時に、織物に異なるデザイン図案を組合せてエリア範囲の変色効果を達成することができる。
【００１５】
このほか、織物１０は紋様デザインを利用して織物の組織に複数の浮糸１２と色糸１４、１６を組み合わせたまとまりを形成したところに分断糸１８で間隔を空けることもできる。
【００１６】
図３、図４に示すように、浮出糸部分１２２の２面の対向する外側にある色糸部分１４２、１６２を図に示された視線角度から眺めると、色糸部分１４２、１６２が浮出糸部分１２２後方にあって遮蔽されるため、織物１０は図に示された視線角度から織物の表面を見ると、浮出糸部分１２２から隔たった外側の色糸部分１４２（又は色糸部分１６２）は、局部又は全部が遮蔽作用により視認することができない。
【００１７】
観察者が図５Ａに示す視線角度から織物１０を見た場合、左側に偏った視覚角度で織物の表面を見ると、織物の表面上の各浮出糸部分１２２がその左側の色糸部分１４２に対位して遮蔽作用を生じて、左側の色糸部分１４２の局部又は全部が隠蔽されて、観察者は織物の表面からは浮出糸部分１２２とその右側にある色糸部分１６２しか視認できない。勿論、浮出糸部分１２２左側の色糸部分１４２が完全には浮出糸部分１２２によって遮蔽されてない場合、目には局部の左側の色糸部分１４２が視認できるものの、右側の色糸部分１６２に比べて、明らかにその顕れ割合に差異が有り、この差異は視線角度の変化に伴って変化し得る。
【００１８】
観察者が図５Ｂに示す視線角度から織物１０を見た場合、織物の表面上の各浮出糸部分１２２がその右側の色糸部分１６２に対位して遮蔽作用を生じて、右側の色糸部分１６２の局部又は全部が隠蔽されるため、観察者は織物の表面からは浮出糸部分１２２とその左側にある色糸部分１４２、及び局部的に遮蔽されていない右側の色糸部分１６２しか視認できない。
【００１９】
図６で示された織物構造の側面概略図において、ｃ点は織物の表面を正視した視線角度の方向であり、ａ点とｂ点は傾斜方向から織物の表面を眺めた視線角度を表わしている。
【００２０】
観察者がｃ点方向から織物の表面に向いて見た場合、色糸部分１４２、１６２は何れも浮出糸部分１２２に遮蔽されていないので、浮出糸部分１２２と両側の色糸部分１４２、１６２が完全に視認できる。しかしｃ点から次第にａ点又はｂ点の視線角度の方向に移動すると、浮出糸部分１２２の視線から遠い色糸部分１４２、１６２は浮出糸部分１２２に遮蔽され始めて、しかも視線角度がａ点又はｂ点に達すると、浮出糸部分１２２が視線から遠い色糸部分１４２、１６２に対して完全に遮蔽作用を生じる。つまり、視線角度ａ点又はさらに大きな傾斜角度に達したとき、浮出糸部分１２２左側にある色糸部分１４２は完全に遮蔽されて視認できなくなるので、目には浮出糸部分１２２と左側の色糸部分１６２しか視認できない。これと反対に、視線角度ｂ点又はさらに大きな傾斜角度に達したとき、浮出糸部分１２２右側にある色糸部分１６２は完全に遮蔽されて視認できなくなるので、目には浮出糸部分１２２と左側の色糸部分１４２しか視認できない。
【００２１】
こうしたことから、観察者が自発的に織物の表面を眺める視線角度を変えたり、織物自体に皺が寄って彎曲して角度変化が起きたりすると、織物の表面に色彩変化の効果を生じるのが視認できる。
【００２２】
織物１０の実施の際に採用する浮糸１２は不透明糸でないと、このように色糸１４、１６に対し視覚面での遮蔽効果を生じさせることができない。浮糸１２は白糸、黒糸或いは白色と黒色の中間の灰色糸の様な無彩色の糸から選択することができ、また各種カラーの色糸を採用することもできる。例えば、浮糸１２が有するカラーは２種の色糸１４、１６の中間色や、浮糸１２と２種の色糸１４、１６がグラデーションカラーの組合せである。
【００２３】
織物１０が採用する２種の色糸１４、１６は異なるカラーの糸ではあるが、本発明が指す異なるカラーである２種の色糸１４、１６は、この２種の糸が同一の色相の糸を採用できないということに限定されるのではなく、２種の色糸１４、１６のカラーが３種の色の属性である色相(色合い)、明度(明るさ)、彩度(鮮やかさ)の何れか１つの属性が異なる場合、つまり本発明でいう異なるカラーとなる。例を挙げると、色糸１４が真紅の糸で、もう一方の色糸１６が浅紅色の糸である場合、２種の色糸１４、１６は異なるカラーの糸ということになる。
【００２４】
ついでに述べると、織物１０の浮糸１２と２種の色糸１４、１６はカラー、太さ、成分、より数及び弾性係数が同様或いは何れか１つが異なる糸でもよい。
【００２５】
図７で示すのは本発明の織物１０の別途実施例であり、前述した不透明糸を採用した浮糸１２と比べて、この実施例で採用した浮糸１２’は透光性の透明糸であり、透明糸はその２面の対向する外側の２本の色糸１４、１６に対して視覚的な遮蔽作用を提供することはできないものの、浮糸１２’で織物の表面に形成した浮出糸部分１２２’が透明糸であるので、目が偏った視線角度で織物の表面を眺めたときや織物自体に皺が寄って彎曲して角度変化が起きたとき、色糸１４、１６で形成した色糸部分１４２、１６２は、浮出糸部分１２２’が遮断されることにより視覚的に屈折変化が起き、織物の表面に色彩変化の効果が視認できる。
【００２６】
図に示したｄ点とｅ点は傾斜方向から織物の表面を眺めた視線角度を表わしている。観察者がｄ点又はｅ点に示した矢印方向から織物の表面を眺めると、浮出糸部分１２２’を通して見える離れたところの色糸部分１４２、１６２は浮出糸部分１２２’が提供する屈折効果によって現れる。即ち、観察者がｄ点から指した矢印方向から織物の表面を眺めると、浮出糸部分１２２’左側の色糸部分１４２が浮出糸部分１２２’を通して屈折作用を生じるので、浮出糸部分１２２’左側の色糸部分１４２の割合が右側の色糸部分１６２より明らかに大きいことが視認できる。これと反対に、観察者がｅ点から指した矢印方向から織物の表面を眺めると、浮出糸部分１２２’右側の色糸部分１６２が浮出糸部分１２２’を通して屈折作用を生じるので、浮出糸部分１２２’右側の色糸部分１６２の割合が左側の色糸部分１４２より明らかに大きいことが視認できる。
【００２７】
このことから、観察者が自発的に織物の表面を眺める視線角度を変たり、織物自体に皺が寄って彎曲して角度変化が起きたりすると、織物の表面は浮出糸部分１２２’で色糸部分１４２、１６２に対してできた屈折変化によって色彩が変化する視覚的感覚が生じる。
【００２８】
これまでに述べたことをまとめると、本発明は浮糸１２、１２’と色糸１４、１６とを併せて組合せてデザインした織物であって、視線角度が変化したり、織物自体に角度変化が起きたりすると、浮出糸部分１２２、１２２’が両側に織った色糸部分１４２、１６２に対して視覚上の遮蔽や屈折といった妨害的変化を起こすことによって、色彩が変化する視覚的感覚を生じる。
【００２９】
以上の記述は本発明の好ましい実施例に過ぎず、本発明の構造的特徴はこれに限定されるものではなく、当業者が本発明分野で容易に思いつく変化若しくは修飾についても、全て本発明の特許請求の範囲内とする。
【産業上の利用可能性】
【００３０】
本発明は織物に関し、特に織物表面を異なる視線角度で眺めたり、織物自体に角度変化が起きたりしたとき、色彩変化という視覚効果を持つ織物に関した産業全般に有用である。
【符号の説明】
【００３１】
１０    織物
１２、１２’  浮糸
１２２、１２２’  浮出糸部分
１４    色糸
１４２  色糸部分
１６    色糸
１６２  色糸部分
１８    分断糸
２０    衣服
【図１】
2010504440.tif 000003
【図２】
2010504440.tif 000004
【図３】
2010504440.tif 000005
【図４】
2010504440.tif 000006
【図５Ａ】
2010504440.tif 000007
【図５Ｂ】
2010504440.tif 000008
【図６】
2010504440.tif 000009
【図７】
2010504440.tif 000010
【国際調査報告】
2010504440.tif 000011
2010504440.tif 000012
2010504440.tif 000013
2010504440.tif 000014
2010504440.tif 000015